(57)【特許請求の範囲】
【請求項１】
塗布開始または停止操作に、カーテンヘッド１とウェブ３の間に位置する受けパン９を移動させ、該カーテンヘッド１から流下するカーテン膜２を受けパン９に受容することや、カーテン膜２を連続走行するウェブ３に接しめて塗布層を形成させるカーテン塗布装置において、該受けパン９が塗布開始前または塗布停止後に該カーテン膜２を直接受容する受液槽部１０、及び該受液槽部１０の底面よりも上方に位置する段差部１１を有し、かつ該段差部１１の上端に上り勾配の棚部１２を具備することを特徴とするカーテン塗布装置。
【請求項２】
該段差部１１の距離（ｄ）が８ｍｍ以上であることを特徴とする請求項１記載のカーテン塗布装置。
【請求項３】
該棚部１２の水平位置からの角度（β）が５°以上の上り勾配であることを特徴とする請求項１又は２記載のカーテン塗布装置。
【請求項４】
上記カーテン塗布装置を用い、カーテンヘッド１から流下するカーテン膜２を連続走行するウェブ３に接しめて塗布層を形成させる塗布方法において、受けパン９を移動させ塗布開始または停止操作を行うことを特徴とするカーテン塗布方法。
【発明の詳細な説明】
【０００１】
【発明の属する技術分野】
本発明は、写真印画紙、磁気記録紙、感熱記録紙、感圧記録紙、及びインクジェット受像紙、熱転写受像紙、顔料塗被紙等の塗布に用いられているカーテン塗布装置に関し、特に、塗布開始及び塗布停止に伴い生じる塗布量過剰部を抑制するカーテン塗布装置及び塗布方法に関するものである。
【０００２】
【従来の技術】
カーテン塗布装置は、塗布操作を行う前に計量を行う、いわゆる前計量型の塗布装置であり、過剰な塗布液をウェブに供給した後に規定量に計量を行う後計量方式の塗布方式と異なり、塗布液の液組成が経時で変化することがなく、長時間にわたり安定した品質の塗被物が得られる。また、重層塗布が可能で、塗布条件によっては塗布速度も上限が高いため、効率的に塗被物を得ることが可能である。
【０００３】
このように、カーテン塗布装置は、多くの長所を持つため、写真印画紙、磁気記録紙、感熱記録紙、感圧記録紙、インクジェット受像紙、熱転写受像紙、顔料塗被紙等の各種塗布分野において利用されている塗布方式である。
【０００４】
一般に、カーテン塗布における塗布開始は、予め形成されたカーテン膜とウェブの間に遮蔽物を設け、塗布液はすべて遮蔽物で捕捉されるようにしておき、該遮蔽物を除去し、カーテン膜をウェブに接触せしめることにより行う。塗布停止は、該遮蔽物を塗布前の位置に戻し、再びカーテン膜とウェブの間を遮蔽することにより行う。かかる塗布開始及び塗布停止操作においては、以下に詳述するごとく、塗布量が過剰にウェブに供給される部分（以下、塗布過剰部）ができ、乾燥が未完のまま乾燥ゾーンを通過した塗布過剰部がロールを塗布液で汚染し、塗布操作を困難にし、品質上も重大な欠陥をもたらす。
【０００５】
塗布開始及び停止直後の塗布過剰部分の形成では、形成過程が異なる。つまり、塗布開始は、ウェブとカーテンヘッドの間に設置した遮蔽物を移動、除去することにより行う。このとき、遮蔽物の端部によりカーテン膜が切断され、切断されたカーテン膜先端部が塗布液の表面張力により、カーテン膜厚よりも厚いチューブを形成する。この厚い先端部がウェブ上に接しめられると、塗布開始部で塗布量が過剰となる塗布過剰部を形成する。
【０００６】
ウェブ上に形成された塗布過剰部は、通常の乾燥では未乾燥状態となり、塗布過剰部は、ウェブを搬送するのに使用されるロールに接触する部分で過剰塗布液を転写する。さらに、ロールに転写された塗布液の一部は、ウェブ表面の塗布層に再転写したり、逆に正常な塗布層を攪乱、剥離したりして、塗布欠陥を発生させる。したがって、塗布過剰部の形成は、塗被物の品質に悪影響を及ぼす。また、ロールを汚染した塗布液を除去するためには、装置を止めなければならず、著しい生産効率の低下を余儀なくされる。
【０００７】
一方、塗布停止時には、カーテン膜に遮蔽物が挿入され、再びカーテン膜が遮蔽物端部により切断されるが、遮蔽物の端部がカーテン膜を切断した後に、カーテン膜は、その表面張力により厚いチューブを形成し、ウェブ上に落下して塗布過剰部を形成する。又、カーテン膜を切断した時に遮蔽物に塗液が付着し、液滴となり、ウェブに落下し、塗布過剰部を形成する。したがって、塗布開始の場合と同様にロールが塗布過剰部の塗布液で汚染される。この場合も、ロールの清掃作業を余儀なくされることになり、生産効率の低下を招く結果となる。
【０００８】
これらの塗布過剰部の形成を抑止するための手段として、塗布開始及び停止操作で用いる遮蔽物の位置を、できるだけウェブに近づけ、塗布過剰部の過剰量を最小限とする方法がある。この方法は有効ではあるが、一方で遮蔽物は、ある程度の量の塗布液を受容する受液槽の機能も要求されるため、遮蔽物の端部では一定量の高さを持った塀が必要である。したがって、遮蔽物をウェブに近づけても、塗布開始、停止を行う為にカーテン膜を遮蔽物端部で切断する点（以下、カーテン膜切断点と言う）がある程度高くなってしまう。また、米国特許第３，５０８，９４７号明細書（図５参照）に記載されるようなカーテン膜を斜めに横切るカーテンデフレクタにより塗布開始及び停止を行う方法では、遮蔽物は受液槽の機能を必要としないが、液をカーテンデフレクタを伝わらせて受液槽に落とすために、カーテンデフレクタに傾斜を設ける必要があり、カーテン膜切断点はウェブと距離を保つ必要がある。即ち、これらの方法では、落下開始点とウェブの距離は、最低限、数ｃｍ程度必要であり、塗布過剰部の形成の抑止手段とはならない。
【０００９】
また、特表平２−５０３８８４号公報に記載される捕捉パン（図６参照）を用いる塗布開始装置では、カーテン膜切断点とウェブの距離を、数ｍｍとすることが可能であるが、捕捉パンに受容した塗布液が捕捉パンの移動によるほんの僅かな揺れで捕捉パン外にこぼれ出る可能性が大きく、実際には受液槽の機能とカーテン膜切断点とウェブ間の距離を数ｍｍにすることの両者を充分に両立することは困難であり、結果的には問題となる程度の塗布過剰部を形成してしまう。
【００１０】
只、特表平２−５０３８８４号公報記載の方法では、塗布停止時においては、予め捕捉パン上に受容した塗布液を除去し、捕捉パンからの塗布液のこぼれ対策を行えば、塗布過剰部を形成せずに塗布停止を行うことが可能といえる。しかし、塗布開始については塗布液が受容されている捕捉パンをカーテン膜とウェブの間より移動させる為、移動中に塗布液がこぼれ易くなり、特表平２−５０３８８４号公報記載の方法でも、塗布過剰部を形成してしまうこととなる。
【００１１】
つまり、カーテン膜を流下させウェブに接しめることにより塗布層を形成するカーテン塗布において、塗布過剰部を形成せずに塗布開始を行うことは非常に困難であり、その方法は存在しなかった。
【００１２】
【発明が解決しようとする課題】
本発明の目的は、カーテンヘッドから流下するカーテン膜を連続走行するウェブに接しめて塗布層を形成するカーテン塗布装置及び塗布方法において、塗布開始及び停止の際に形成される塗布過剰部を抑制し、塗布装置の汚染を起こさず、品質欠陥の発生を抑制するカーテン塗布装置及び塗布方法を提供することである。
【００１３】
【課題を解決するための手段】
本発明は、塗布開始または停止操作に、カーテンヘッド１とウェブ３の間に位置する受けパン９を移動させ、該カーテンヘッド１から流下するカーテン膜２を受けパン９に受容することや、カーテン膜２を連続走行するウェブ３に接しめて塗布層を形成させるカーテン塗布装置において、該受けパン９が塗布開始前または塗布停止後に該カーテン膜２を直接受容する受液槽部１０、及び該受液槽部１０の底面よりも上方に位置する段差部１１を有し、かつ該段差部１１の上端に上り勾配の棚部１２を具備することを特徴とするカーテン塗布装置により、塗布開始の際に形成される塗布過剰部を抑制し、塗布装置の汚染を起こさず、品質欠陥の発生を抑制することができる。
【００１４】
【発明の実施の形態】
以下、添付図面に基づき、本発明の実施の形態について詳細に説明するが、本発明は、以下の実施形態に限定されることなく、様々な形態が可能であることは言うまでもない。
【００１５】
図１は本発明の実施例を示す塗布装置の概略図であり、図２は本発明の塗布装置に用いられる受けパンの詳細を示す概略図、図３は本発明の塗布開始時の状態を示す説明図、図４は他の実施例を示す塗布装置の概略図である。
【００１６】
図１に示す本発明の塗布装置は、ロール４、５によって支持されたウェブ３の上方にカーテンヘッド１が配置され、カーテンヘッド１から流下しカーテン膜２を形成する塗布液を受容するために、受けパン９がウェブ３とカーテンヘッド１の間に配置されている。ウェブ３の下方には受けパン９で受容した塗布液を受け入れるためにカラー回収槽７が設けられている。回収された塗布液は図示されていない貯蔵タンクに回収される。また、受けパン９で受容された塗布液は、貯蔵タンクに戻さず、別の貯蔵タンクに回収される場合もある。これらは、塗布液の特性によって行われる。カーテンヘッド１への塗布液の送液は給液ポンプ８により行われる。
【００１７】
本発明ではカーテン膜２が落下し、ウェブ３に接触する部分（以下、塗布部１４と言う。図３参照）の近傍に、ウェブ３に同伴する空気流を遮蔽し、カーテン周辺空気の回流などでカーテン膜２が乱れることなくウェブ３に達するようにする為、図１のような遮風板６が設けられている場合がある。また、図１のロール４の位置を塗布部の極近傍の前方（上流）に位置させ、ロール４によりウェブ３を方向転換し、ウェブ３に同伴する空気の塗布部への影響を最小限にとどめるように構成する場合もある。
【００１８】
本発明の塗布装置に用いる受けパン９の代表的な形態として、図２に示すような形態があり、最低限、塗布開始前にカーテン膜２を直接受容する受液槽部１０を有し、かつ該受液槽部１０の底面よりも上方に位置する段差部１１を有し、該段差部１１の上端に上り勾配の棚部１２を具備する必要がある。即ち、受液槽部１０はカーテン膜２を形成した塗布液を受容し、かつ不必要な受けパン９外への塗布液の流出を防ぐために必要であり、段差部１１はカーテン膜２を一旦切断し、受けパン９で受容した塗布液とカーテン膜２の隔離を行い、カーテン膜２が流下する部分への塗布液の逆流を防ぐために重要である。棚部１２は隔離したカーテン膜２に非定常な力を掛けず、安定したカーテン落下部を形成する為に必要となる。
【００１９】
本発明に用いる受けパン９の棚部１２は水平位置よりも、上り勾配を持つ必要がある。つまり、棚部１２の傾斜は、カーテン膜２を形成していた塗布液を受液槽部１０に回収する機能を有するためである。この傾斜が無いと、棚部１２に落下したカーテン膜２を形成していた塗布液が、ウェブ３上に落下し、塗布過剰部を形成してしまう場合がある。更に該棚部１２の傾斜は水平方向に対し、角度（β）が５°以上が好ましい。前記の如く、角度（β）が５°以上であれば、棚部１２に流下したカーテン膜２を形成していた塗布液が、受液槽部１０に回収されるが、５°未満の場合は、受けパン移動の衝撃等で完全に受液槽部１０に回収できない場合が生じるからである。
【００２０】
本発明に用いる受けパン９の段差部１１の距離（ｄ）は通常８ｍｍ以上が好ましい。距離（ｄ）が８ｍｍ未満である場合、受液槽部１０に受容した塗布液が段差部１１を越えて棚部１２に逆流し、パン移動速度が速い場合など衝撃が強くなり、エッジ部１３より塗布液を受けパン９外に流出し、ウェブ３上にこぼれて塗布過剰部を形成してしまうことがある。
【００２１】
本発明に用いる受けパン９の棚部１２の長さは特に限定されず十数ｍｍもあれば良いが、より安定した塗布開始停止操作を行う為に、十数ｍｍよりも長くしても構わず、通常は数十ｍｍで使用される方が好ましい。即ち棚部１２は前記の如く、カーテン膜２に非定常な力を掛けず、安定したカーテン落下部を形成する為に必要があるが、一旦段差部１１でカーテンを切断する衝撃により、僅かなカーテン揺れが生じ、カーテン膜２が安定でない状態が発生し、棚部１２の水平長さが極端に短く、数ｍｍの場合は、このカーテン膜２が安定でない状態の内にウェブ３に接しめられ、塗布ムラ等を発生させる場合がある。
【００２２】
本発明の塗布開始の過程は、図３ＡからＣの様に行われ、ウェブ３の走行速度が規定の速度に達した後、受けパン９の位置が移動させられ、カーテン膜２は連続走行しているウェブ３と接触し、ウェブ３に塗布される。ここでウェブ３が切断した時など、塗布が中断された場合は、塗布液はカラー回収槽７に回収される。カラー回収槽７で回収された塗布液は、貯蔵タンクには戻さず、別の貯蔵タンクに回収を行う場合もある。
【００２３】
図３に示す本発明の塗布開始操作の過程を順に説明すると、第一に塗布停止状態より始まる。塗布停止状態ではカーテン膜２は受けパン９の受液槽部１０に落下している。塗布開始時の第二段階は、受けパン９が移動され段差部１１の最上部によりカーテンが一旦切断される。第三段階は図３Ｂに示すような固液界面を形成しながらカーテン膜２の下を棚部１２が移動する。第四段階は図３Ｃに示すように、カーテン膜２がウェブ３上に接しめられ、塗布開始が完了する。本発明のカーテン塗布装置であれば、受けパン９によりカーテン膜２を切断する高さは数ｍｍと小さくすることが可能であり、塗布過剰部が形成されない。また、受液槽部１０の液は段差部１１により、棚部１２へと逆流することはなく、受けパン９の移動によりこぼれ出ることはない。また、棚部１２上の液も、棚部１２が傾斜を有している為、受液槽部１０に回収され、受けパン９外にこぼれ出ず、塗布過剰部を形成しなくなるのである。
【００２４】
本発明においては上記のような作用が基盤となっており、本発明では図３Ａの様に、塗布停止時の受けパン９の位置がカーテン膜２が受液槽部１０内へ直接流下する位置にあることが必要である。段差部１１によって、一旦カーテン膜２を切断し、棚部１２で均一で安定なカーテン落下部を形成して、塗布過剰部を抑制する為、塗布開始時の第一段階として、カーテン膜２が受液槽部１０内へ流下していなければならないのである。
【００２５】
本発明では塗布開始停止を行う為に、受けパン９を移動させる時に、棚部１２の先端がカーテン膜を切断する高さ、即ちカーテン膜切断点とウェブの距離は、前記の通り、塗布過剰部の形成量に影響するので、なるべくなら０ｍｍが良いが、この距離を小さくし、塗布過剰部形成に影響無い距離であれば、特に限定されない。只、本発明者らが鋭意検討した結果ではおおよそ２０ｍｍ以下が好ましい範囲であった。
【００２６】
本発明のカーテン塗布装置及び塗布方法におけるカーテンヘッド１は特に限定されず、図１に示される様なエクストルージョンタイプ、図４に示される様なスライドタイプ等の全てのカーテンヘッドに対し、塗布過剰部を抑制する効果を発揮する。また、本発明においては、ウェブ３とカーテン膜２との接触部、即ち塗布部は、種々多様な塗布部に対して適用可能であり、図１に示すようなロール４、５間に支持されたウェブ上は勿論のこと、図４に示すようなロール４上に支持されたウェブ上であろうとも塗布過剰部を抑制する効果を発揮する。しかも、カーテン膜２がウェブ３の幅を超えて広く、ウェブ巾方向全巾にわたり塗布部が存在する場合や、ウェブ巾よりもカーテン膜が狭く、ウェブ巾方向の両端にカーテン膜が塗布されない場合についても同様に塗布過剰部を抑制する効果を発揮する。尚、図１、４のようにウェブ３が上り傾斜走行する場合に限らず、水平走行や下り傾斜走行する場合であっても、差し支えない。
【００２７】
本発明の塗布開始時でカーテン膜２下を棚１２が通過する間の受けパン９が移動する速度は、１２ｍ／ｍｉｎ〜１２００ｍ／ｍｉｎ程度が、良好な塗布開始結果を得易い。
【００２８】
次に、本発明で使用される塗布液、ウェブに関して説明する。また、塗布時の塗布速度、塗布液供給量に関しても説明を加える。
【００２９】
本発明において、塗布液とは、写真乳剤液として、ゼラチン水溶液中にハロゲン化銀を分散せしめたもの、磁性体塗布液として、水あるいは有機溶剤中に磁性体粒子を分散せしめたもの、感熱発色体塗布液として、発色剤と顕色剤を分散せしめたもの、感圧発色体として、発色剤あるいは顕色剤を含むマイクロカプセルを分散せしめたもの、顔料塗被紙塗布液として、無機あるいは有機顔料を分散せしめたものなど、固形分濃度などに関係なく、カーテン塗布を行うことが可能な塗布液であれば、制限なく用いることができるが、塗布液の粘度についてはＢ型粘度が１０ｃｐｓ〜３００ｃｐｓの範囲の塗布液が好ましい。
【００３０】
本発明で使用されるウェブとしては、一般に使用される上質紙、中質紙、更紙、マシンコート紙、アート紙、キャストコート紙、合成紙、レジンコーテッド紙、プラスティックフィルム、金属板、ゴム板、天然あるいは合成繊維で織られた布等を含む。
【００３１】
塗布速度に関しては、通常のカーテン塗布を行うことができる条件範囲内であれば、特に本発明の効果を低下させるものではないが、おおよそ１５ｍ／ｍｉｎ〜１５００ｍ／ｍｉｎの範囲が好ましい。一方、ウェブに塗布される単位時間、単位巾あたりの液量、即ち流量に関しても通常のカーテン塗布条件範囲内であれば、特に限定されないが、おおむね４Ｌ／ｍｉｎ／ｍ〜２０Ｌ／ｍｉｎ／ｍの範囲が好ましい。
【００３２】
【実施例】
以下、本発明をより一層明瞭とするために実施例を掲げる。なお、実施例中の部数は、全て重量部を示し、特にことわりのない限り、濃度は固形分の濃度の重量％、塗布量は、乾燥後の塗布量を示す。
【００３３】
実施例１
［塗布液の製造方法］
＜カプセル分散液＞
クリスタルバイオレットラクトン（ＣＶＬ）５部を溶解した２００部の高沸点油（呉羽化学（株）製ＫＭＣ−１１３）を５％スチレン無水マレイン酸共重合体水溶液（ＰＨ５．０）２５０部に添加し、平均粒子径６μｍとなるように乳化した。
【００３４】
次に、４０％メラミン−ホルマリン初期縮合物水溶液（住友化学（株）製スミレッツレジン）２０部を上記乳化液に加えて温度を７５℃とし、２時間反応させたのち、２０％水酸化ナトリウム水溶液でｐＨ＝９．０として室温まで冷却し、４０％のマイクロカプセル分散液を得た。
【００３５】
＜塗布液＞
このようにして得られたマイクロカプセル分散液を下記の配合にさらに水を加えて固形分濃度が３３％になるように調整し、塗布液を得た。
４０％マイクロカプセル分散液                                  １００部
小麦澱粉（平均粒子径２０μｍ）                                  ５０部
４８％カルボキシ変性スチレンブタジエン共重合体ラテックス        ２０部
【００３６】
かかる塗布液を、図２に示すｄ、βの値を８ｍｍ、７°とし、棚の長さを３０ｍｍとした図２に示す様な受けパンを作製して、受けパンの移動速度を６０ｍ／ｍｉｎ、カーテン膜を受けパンが切断する距離を１０ｍｍとなるように、坪量４０ｇ／ｍ2の上質紙に、１０００ｍ／ｍｉｎの塗布速度で、塗布量が３．５ｇ／ｍ2になるように感圧記録紙の塗布開始を行った。
【００３７】
実施例２
実施例１の塗布開始５分後に、実施例１で使用した受けパンを用い、受けパンの移動速度を６０ｍ／ｍｉｎ、カーテン膜を受けパンが切断する距離を１０ｍｍとなるようにして塗布停止を行った。
【００３８】
実施例３
図２に示すｄ、βの値を１０ｍｍ、７°とした以外は実施例１同様の方法で塗布開始を行った。
【００３９】
実施例４
図２に示すｄ、βの値を２０ｍｍ、７°とした以外は実施例１同様の方法で塗布開始を行った。
【００４０】
実施例５
図２に示すｄ、βの値を１０ｍｍ、５°とした以外は実施例１同様の方法で塗布開始を行った。
【００４１】
実施例６
図２に示すｄ、βの値を１０ｍｍ、１０°とした以外は実施例１同様の方法で塗布開始を行った。
【００４２】
実施例７
図２に示すｄ、βの値を１０ｍｍ、１５°とした以外は実施例１同様の方法で塗布開始を行った。
【００４３】
比較例１
図２に示すｄ、βの値を７ｍｍ、７°とした以外は実施例１同様の方法で塗布開始を行った。
【００４４】
比較例２
図２に示すｄ、βの値を３ｍｍ、７°とした以外は実施例１同様の方法で塗布開始を行った。
【００４５】
比較例３
図２に示すｄ、βの値を０ｍｍ、７°とした以外は実施例１同様の方法で塗布開始を行った。
【００４６】
比較例４
図２に示すｄ、βの値を１０ｍｍ、４°とした以外は実施例１同様の方法で塗布開始を行った。
【００４７】
比較例５
図２に示すｄ、βの値を１０ｍｍ、０°とした以外は実施例１同様の方法で塗布開始を行った。
【００４８】
比較例６
図２に示すｄ、βの値を０ｍｍ、１５°とした以外は実施例１同様の方法で塗布開始を行った。
【００４９】
［ロール汚れ評価方法］
塗布終了後の乾燥ゾーン直後の塗布面があたるペーパーロールの汚れを以下の様に目視及び触手評価した。尚、許容レヘ゛ル○以上である。
◎    ：全く汚れが見えなく、触手で異物が無いレベル
○    ：僅かに汚れが見えるが、触手で異物が無いレベル
○〜△：目視で若干汚れが見え、触手で僅かな異物感があるが、引っかかる様な凹凸がないレベル
△：汚れが見え、触手で僅かな引っかかる様な凹凸があるレベル
×    ：かなり汚れていて、触手でかなりの引っかかる様な凹凸があるレベル
【００５０】
［塗布紙のブロッキング評価方法］
巻き取った塗布ウェブの塗布開始部とそれに重なるウェブの剥がれ具合を以下の様に評価し、ブロッキング評価とした。尚、許容レベルは○以上である。
○：くっ付きが無く、簡単に剥がれるレベル
△：僅かのくっ付きが有り、剥がし難いレベル
×：くっ付いていて、剥がせないレベル
【００５１】
【表１】
0003621204.tif 000002
【００５２】
【発明の効果】
表１のような評価結果を得たが、比較例１〜６に比べて本発明の実施例１〜７の方がロール汚れ及びブロッキングの発生が無く、安定な塗布操作が可能であることが明白である。即ち、本発明における塗布装置及び塗布方法を用いることにより塗布開始の際に形成される塗布過剰部を抑制し、塗布装置の汚染を起こさない塗布開始先端部を形成することが可能となり、品質欠陥の無い塗布物を得ることができる。
【図面の簡単な説明】
図１は本発明の実施例を示す塗布装置の概略図であり、図２は本発明の塗布装置に用いられる受けパンの詳細を示す概略図、図３は本発明の塗布開始時の状態を示す概略図、図４は他の実施例を示す塗布装置の概略図である。
【図１】本発明の一実施例を示す塗布装置の概略図。
【図２】本発明の塗布装置に用いる受けパンの概略図。
【図３】本発明の塗布開始時の状態を説明する概略図。
【図４】本発明の他の実施例を示す塗布装置の概略図。
【図５】従来の塗布装置を示す概略図。
【図６】従来の他の塗布装置に用いる捕捉パンの概略図。
【符号の説明】
１  カーテンヘッド
２  カーテン膜
３  ウェブ
４、５  ロール
６  遮風板
７  カラー回収槽
８  給液ポンプ
９  受けパン
１０  受液槽部
１１  段差部
１２  棚部
１３  エッジ部
１４  塗布部
１５  液受け板
１６  液受け容器
１７  捕捉パン
【図１】
0003621204.tif 000003
【図２】
0003621204.tif 000004
【図３】
0003621204.tif 000005
【図４】
0003621204.tif 000006
【図５】
0003621204.tif 000007
【図６】
0003621204.tif 000008